【手続補正書】
【提出日】平成17年2月9日(2005.2.9)
【手続補正１】
【補正対象書類名】明細書
【補正対象項目名】請求項１
【補正方法】変更
【補正の内容】
【請求項１】
支持体上に電子供与性呈色性化合物と電子受容性化合物を用い、発色と消色を加熱冷却条件の変更により行わせることができる可逆性感熱組成物を含有する可逆性感熱記録層を設けた可逆性感熱記録媒体において、該可逆性感熱記録層中に下記式（１）の化合物を用いることを特徴とする可逆性感熱記録媒体。
【化１】
2003237232.tif 000001
（Ｒ１は置換基を有してもよい炭素数１〜２２の２価の炭化水素基、Ｒ２，Ｒ３は炭素数８以上のアルキル基をそれぞれ表す。ｎは７以上の整数、Ｘはヘテロ原子を含む３価の結合基を、Ｙはヘテロ原子を含む２価の結合基をそれぞれ示す）
【手続補正２】
【補正対象書類名】明細書
【補正対象項目名】０００５
【補正方法】変更
【補正の内容】
【０００５】
【課題を解決するための手段】
本発明者らは可逆性感熱記録媒体の消色温度および高速消去性に関して種々の検討を行ったところ、可逆性感熱記録層中に結合基Ｙおよび末端に２つの長鎖アルキル基を有する構造の化合物を用いることにより、記録媒体の低温域での高速消去性が向上することがわかった。特に、長鎖アルキル基を両末端にそれぞれ２つずつ有する構造の化合物として、下記式（１）の化合物が前記課題の解決のために有効なことを見出した。
【手続補正３】
【補正対象書類名】明細書
【補正対象項目名】０００７
【補正方法】変更
【補正の内容】
【０００７】
前記式（１）の化合物が前記解決しようとする課題の解決に有効である詳細な理由は定かではないが、発色状態を形成するロイコ染料および顕色剤と本発明の下記式（１）で示される化合物からなる凝集構造中において、これらの化合物は末端に２つの長鎖アルキル基を有するためアルキル鎖の凝集力が非常に高く、消去装置で加熱された際に安定な状態である消色状態になりやすく、また会合基Ｙの会合性により発色状態も安定するため高い発色画像安定性を有すると考えられる。さらに、溶融状態からの急冷条件では発色状態を取るが徐冷条件あるいは溶融温度以下の熱が加えられると顕色剤の長鎖アルキル基との相互作用により容易に消色状態になると考えられる。
【手続補正４】
【補正対象書類名】明細書
【補正対象項目名】０００８
【補正方法】変更
【補正の内容】
【０００８】
すなわち、本発明においては、支持体上に電子供与性呈色性化合物と電子受容性化合物を用い、加熱温度及び／又は加熱後の冷却速度の違いにより相対的に発色した状態を形成しうる可逆性感熱組成物を含有する可逆性感熱記録層を有する可逆性感熱記録媒体において、該可逆性感熱記録層中に前記式（１）の化合物を用いることを特徴とする可逆性感熱記録媒体が提供される。
【手続補正５】
【補正対象書類名】明細書
【補正対象項目名】０００９
【補正方法】変更
【補正の内容】
【０００９】
以下に本発明で用いる式（１）の化合物を説明する。前式（１）中のＲ１は炭素数１〜２２の２価の炭化水素基を表し前記炭化水素基は置換基を有していてもよいが、好ましくは炭素数１〜１８の２価の炭化水素基が用いられる。Ｒ２，Ｒ３はそれぞれ独立に炭素数８以上の飽和あるいは不飽和のアルキル基を表わし、該アルキル基は分岐していてもよく置換基を含んでいてもよい、またエーテル結合、エステル結合、チオエーテル結合を含んでいてもよいが、好ましくは炭素数１２から２２の直鎖状のアルキル基が用いられる。末端の長鎖アルキル基はその凝集力により消去性の向上に寄与するが、ある程度の長さを持たないとその効果が不十分であり、また、長すぎると画像の安定性が低下するので、前記のように炭素数１２から２２の直鎖状のアルキル基が好ましい。また、Ｒ２とＲ３はその炭素数が等しいことが好ましい。
【手続補正６】
【補正対象書類名】明細書
【補正対象項目名】００１５
【補正方法】変更
【補正の内容】
【００１５】
本発明で用いられる前記式（１）の化合物で好ましい結合基Ｘの具体的な例としては下記化９の基が挙げられる。
【手続補正７】
【補正対象書類名】明細書
【補正対象項目名】００１７
【補正方法】変更
【補正の内容】
【００１７】
以下に本発明で用いられる前記式（１）の化合物の具体例を下記化１０に挙げる。しかしながら、本発明で用いることができる前記式（１）の化合物は下記化１０のものに限られるわけではない。
【手続補正８】
【補正対象書類名】明細書
【補正対象項目名】００２１
【補正方法】変更
【補正の内容】
【００２１】
本発明の可逆性感熱記録媒体はロイコ染料、顕色剤および前記式（１）の化合物は樹脂とともに記録層を形成する。このとき用いられる樹脂は支持体上にこれらの材料を結着できれば良く、従来公知の樹脂が広く用いられる。なかでも、繰り返し時の耐久性を向上させるため、熱や紫外線、電子線などによって硬化可能な樹脂が好ましく用いられ、とくにイソシアネート化合物などを架橋剤として用いた熱硬化型の樹脂がとくに好ましく用いられる。
【手続補正９】
【補正対象書類名】明細書
【補正対象項目名】００２３
【補正方法】変更
【補正の内容】
【００２３】
前記式（１）の化合物を用いた本発明の可逆性感熱記録媒体を有する熱可逆性記録部と情報記録部の両方を設けることにより、情報記憶部に記憶された情報を熱可逆性記録部に表示することで、特別な装置がなくても情報を確認することができ、利便性が向上する。その際に用いられる記憶部は磁気記録層やＩＣ記録部などが好ましく用いられる。
【手続補正１０】
【補正対象書類名】明細書
【補正対象項目名】００２６
【補正方法】変更
【補正の内容】
【００２６】
実施例１
記録層の作成
１）２−アニリノ−３−メチル−６ジブチルアミノフルオラン            ２．５部
２）下記化１１の構造式の顕色剤                                        １０部
【化１１】
2003237232.tif 000002
３）下記化１２で示される構造式の式（１）の化合物                    ３．５部
【化１２】
2003237232.tif 000003
４）アクリルポリオール樹脂の１５％テトラヒドロフラン（ＴＨＦ）溶液  １６０部
上記組成物をボールミルを用いて平均粒径約１μｍまで粉砕分散した。得られた分散液に日本ポリウレタン社製コロネートＨＬ（アダクト型ヘキサメチレンジイソシアネート  ７５％酢酸エチル溶液）２０部を加え、良く攪拌し記録層塗布液を調製した。上記組成の記録層塗布液を、厚さ１２５μｍの白色ポリエステルフィルム上にワイヤーバーを用い塗布し、１００℃２分で乾燥した後、６０℃２４時間加熱して、膜厚約９．０μｍの記録層を設けた。
［保護層の作成］
１）ウレタンアクリレート系紫外線硬化性樹脂
（大日本インキ社製Ｃ７−１５７）                          １５部
２）酢酸エチル                                              ８５部
上記組成物を、よく溶解攪拌し保護層塗布液を調製した。上記組成の保護層塗布液を、上記記録層上にワイヤーバーを用いて塗工し９０℃１分で乾燥した後、照射エネルギー８０Ｗ／ｃｍの紫外線ランプ下を９ｍ／分の搬送速度で通して硬化して膜厚３μｍの保護層を設け、本発明の可逆性感熱記録媒体を作製した。
【手続補正１１】
【補正対象書類名】明細書
【補正対象項目名】００２７
【補正方法】変更
【補正の内容】
【００２７】
実施例２
実施例１の式（１）の化合物を下記化１３の構造式の化合物に代えた以外は実施例１と同様にして可逆性感熱記録媒体を作成した。
【化１３】
2003237232.tif 000004
【手続補正１２】
【補正対象書類名】明細書
【補正対象項目名】００２８
【補正方法】変更
【補正の内容】
【００２８】
実施例３
実施例１の顕色剤と式（１）の化合物を下記化１４および１５の構造式の化合物に代えた以外は実施例１と同様にして可逆性感熱記録媒体を作成した。
顕色剤
【手続補正１３】
【補正対象書類名】明細書
【補正対象項目名】００２９
【補正方法】変更
【補正の内容】
【００２９】
【化１４】
2003237232.tif 000005
式（１）の化合物
【化１５】
2003237232.tif 000006
【手続補正１４】
【補正対象書類名】明細書
【補正対象項目名】００３０
【補正方法】変更
【補正の内容】
【００３０】
比較例１
実施例１中の式（１）の化合物を除いた以外は実施例１と同様にして可逆性感熱記録媒体を作製した。
【手続補正１５】
【補正対象書類名】明細書
【補正対象項目名】００３１
【補正方法】変更
【補正の内容】
【００３１】
比較例２
実施例１中の式（１）の化合物を下記化１６の化合物に変えた以外は実施例１と同様にして可逆性感熱記録媒体を作製した。
【化１６】
2003237232.tif 000007
【手続補正１６】
【補正対象書類名】明細書
【補正対象項目名】００３２
【補正方法】変更
【補正の内容】
【００３２】
比較例３
実施例１中の式（１）の化合物を下記化１７の化合物に変えた以外は実施例１と同様にして可逆性感熱記録媒体を作製した。
【化１７】
2003237232.tif 000008